(57)【要約】      （修正有）【課題】食品やバイオなどの鮮度維持や長期保存用として、大掛かりな装置でなく、小型で安価で簡単な装置にして何処でも誰でも利用できる装置を提供すること。【解決手段】袋やパックの中に最初に空気中で物を入れて密封してから、ガス置換装置のワンタッチ差込みプラグを挿入し、内部の空気を吸引して減圧状態にした後、保存物の必要性により９９．０％〜９９．９９％の高濃度窒素ガスと置換し、保存したい物を長期鮮度維持することを可能にした。【選択図】なし【特許請求の範囲】
【請求項１】
材質はポリ塩ビ、エコポリ、紙、金属箔、布で１枚から数枚の同材や異質材からなる貼り合わせ複合材などの袋で、空気と窒素ガスが入れ替え可能とした袋（パック）である。
【請求項２】
袋に大気中で保存しようとする物体を入れ、空気の入ったまま密封してから袋内の空気を抜いて減圧状態にした後、保存したい物にあった濃度の窒素ガスを入れて空気と置換させる。
【請求項３】
空気とガス通気用の置換弁が、袋の取り扱いと支障のないところに、１個から複数個を取り付けた袋をいう。
【請求項４】
保管したい品物を入れた袋の空気を抜き、窒素ガスを置換するときに使用するワンタッチ差込みプラグのガス通気孔形状を以下の構造にしたこと。
2006248612.tif 000004
▲１▼の形状は、一山から複数の山型か櫛型
▲２▼の形状は、可動弁を押える先端部の上部に１個又は複数個の通気孔
▲３▼の形状は、可動弁を押える先端の上部に１個から複数の楕円孔又は多角形の通気孔
【請求項５】
通気可動弁を逆止弁タイプにして、ワンタッチ差込みプラグで押し込む方式にした構造である。
2006248612.tif 000005
【請求項６】
【請求項５】
の逆止弁を使用して袋の中の空気を吸引するときは、
【請求項４】
のワンタッチ差込みプラグ先端形状は、通常のパイプ形状でよい。
【請求項７】
【請求項５】
の逆止弁角度は、±４５度の範囲が適用される。
【発明の詳細な説明】
【技術分野】
【０００１】食品やバイオなどの長期保存用や、鮮度維持などに窒素ガスがよく使われているが、空気と窒素ガスを完全に入れ替える置換袋や置換バックがなかったため、作業が簡単な画一された置換用の通気弁を取り付けた袋やパックとしたこと。【０００２】食品やバイオだけでなく、医療や薬品産業廃棄物分野、家庭用廃棄物、医療用の廃棄物、防火予防用の窒素パックや窒素ボール、書画、書籍、骨董、金属、プリント基板、医療用老人介護や細菌、カビが原因の臭い封止、遺跡や文化財の保存等にも画期的に応用できる。【０００３】その他、多目的分野の広がりが期待できる技術である。
【従来技術】
【０００４】食品用の鮮度維持や長期保存用に、工場などの大掛かりな装置で窒素ガスを封入していた。
【０００５】ポップコーンやコーヒー豆などには窒素パックのものがあった。
【発明が解決しようとする課題】
【０００６】工場の大掛かりな装置ではなく、一般家庭や加工屋さんなどで簡単に使用可能としたことで、例えば、巻きずし用のノリの長期鮮度維持保存やエステ用パック、水虫対策用シューズなど。
【０００７】又医療容器類の院内感染防止など、医療用の手術器具の保管など。
【０００８】細菌やカビ類の発生防止用など。
【課題を解決するための手段】
【０００９】空気中の窒素ガスを高濃度に抽出して、窒素ガス発生装置と空気置換装置の併用した装置で、逆止弁を使用した密閉袋を窒素ガス置換できるようにしたこと。
【発明を実施するための最良の形態】
【００１０】以下、本発明に係わる置換袋及びガス通気置換バルブの構成について、図を用いて説明する。【００１１】図１は、袋に通気可動バルブを取り付けた状態の模式図である。【００１２】図２〜４は、袋へ品物を入れて袋のシール口を閉じ、密封状態にした状態図である。【００１３】図５により、袋内の空気と窒素ガス置換の方法を説明する。【００１４】袋（パックシート）に▲１▼通気可動バルブを接着させ、中側から▲５▼ロックナットを締め付けて取り付ける。【００１５】▲１▼通気可動バルブに▲２▼ワンタッチ差込みプラグを入れ、▲４▼通気可動弁を押す。【００１６】負圧になるまで、保存品を入れたパック（袋）から空気を抜く。【００１７】その後、切り替え弁（図にないが、窒素発生装置側にエア切り替えバルブが付けてある）で窒素ガスを供給する。
2006248612.tif 000002
2006248612.tif 000003
【手続補正書】
【提出日】平成17年12月13日(2005.12.13)
【手続補正１】
【補正対象書類名】明細書
【補正対象項目名】全文
【補正方法】変更
【補正の内容】
【発明の詳細な説明】
【技術分野】
【０００１】
食品やバイオなどの長期保存用や、鮮度維持などに窒素ガスがよく使われているが、空気と窒素ガスを完全に入れ替える置換袋や置換バックがなかったため、作業が簡単な画一された置換用の通気弁を取り付けた袋やパックとしたこと。
【０００２】
食品やバイオだけでなく、医療や薬品産業廃棄物分野、家庭用廃棄物、医療用の廃棄物、防火予防用の窒素パックや窒素ボール、書画、書籍、骨董、金属、プリント基板、医療用老人介護や細菌、カビが原因の臭い封止、遺跡や文化財の保存等にも画期的に応用できる。
【０００３】
その他、多目的分野の広がりが期待できる技術である。
【背景技術】
【０００４】
食品用の鮮度維持や長期保存用に、工場などの大掛かりな装置で窒素ガスを封入していた。
【０００５】
ポップコーンやコーヒー豆などには窒素パックのものがあった。
【発明の開示】
【発明が解決しようとする課題】
【０００６】
工場の大掛かりな装置ではなく、一般家庭や加工屋さんなどで簡単に使用可能としたことで、例えば、巻きずし用のノリの長期鮮度維持保存やエステ用パック、水虫対策用シューズなど。
【０００７】
又医療容器類の院内感染防止など、医療用の手術器具の保管など。
【０００８】
細菌やカビ類の発生防止など。
【課題を解決するための手段】
【０００９】
空気中の窒素ガスを高濃度に抽出して、窒素ガス発生装置と空気置換装置の併用した装置で、逆止弁を使用した密閉袋を窒素ガス置換できるようにしたこと。
【発明を実施するための最良の形態】
【００１０】
以下、本発明に係わる置換袋及びガス通気置換バルブの構成について、図を用いて説明する。
【００１１】
図１は、袋に通気可動バルブを取り付けた状態の模式図である。図に於いて、パックシート１ａは図２に示す袋１の本体部分を構成するものであり、所定位置に通気可動バルブ２が取り付けられている。通気可動バルブ２はパックシート１ａに対して接着されると共にロックナット３が締結されることで固定されている。また通気可動バルブ２の内部には通気可動弁２ａが設けられており、この通気可動弁２ａの作用によって袋１の内部と外部とが連通し、或いは内部と外部とが遮断する。
【００１２】
図２は、袋１へ品物１０を入れて袋のシール口を閉じ、密封状態にする手順を説明する状態図である。即ち、図２（ａ）は、袋１に品物１０を入れた直後の状態を示している。同図（ｂ）は袋１の口をシールした状態を示している。同図（ｃ）はシールした部分を折り畳んだ状態を示しており、この状態で袋１の内部を空気から窒素に置換する作業を行う。
【００１３】
図３〜図６により、袋１内の空気と窒素ガス置換の方法を説明する。
【００１４】
袋１（パックシート１ａ）に通気可動バルブ２を接着させ、中側からロックナット３を締め付けて取り付ける。
【００１５】
通気可動バルブ２にワンタッチ差込みプラグ４を入れ、通気可動弁２ａを押す。これによりワンタッチ差込みプラグ４が通気可動バルブ２に装着され、袋１の内部とワンタッチ差込みプラグ４に接続されたホース５とが連通する。尚ホース５は図６に示すように、エア吸引装置を含む窒素ガス発生装置１１に接続されており、この窒素ガス発生装置１１を操作することによって、袋１の内部を吸引し、或いは袋１に窒素ガスを供給し得るように構成されている。
【００１６】
尚、ワンタッチ差込みプラグ４の先端は、図４に示すように通気用の加工がなされている。即ち、図４（ａ）はワンタッチ差込みプラグ４の先端に一つ又は複数の山型又は櫛型による凹凸状の通気孔４ａが形成されたものである。同図（ｂ）は一つ又は複数の円形の通気孔４ｂが形成されたものである。同図（ｃ）は一つ又は複数の楕円形又は多角形の通気孔４ｃが形成されたものである。
【００１７】
また通気可動弁２ａを図５に示すように、所定位置に設けた支点２ｂを中心として可動し得る可動弁とし、ワンタッチ差込みプラグ４の装着に伴って開放され、離脱に伴って閉鎖し得るように構成した逆止弁構造とすることも可能である。
【００１８】
通気可動バルブ２にワンタッチ差込みプラグ４を装着した後、窒素ガス発生装置１１のエア吸引装置を駆動し、袋１の内部が負圧になるまで、保存すべき品物１０を入れたパック（袋１）から空気を抜く。
【００１９】
その後、切り替え弁（図にないが、窒素発生装置側にエア切り替えバルブが付けてある）を操作して袋１に窒素ガスを供給する。
【００２０】
一定量の窒素ガスが封入されたら、ワンタッチ差込みプラグ４を抜くと窒素ガス圧で通気可動弁２ａを押し上げ、通気可動バルブ２の一部と通気可動弁２ａの一部が密着して、窒素ガスが漏れるのを防ぐ。
【図面の簡単な説明】
【００２１】
【図１】袋に通気可動バルブを取り付けた状態の模式図である。
【図２】袋へ品物を入れて袋のシール口を閉じ、密封状態にする手順を説明する状態図である。
【図３】通気可動バルブとワンタッチ差込みプラグとの関係を説明する図である。
【図４】ワンタッチ差込みプラグに形成した通気孔の例を説明する図である。
【図５】通気可動バルブに形成した通気可動弁となる逆止弁の例を説明する図である。
【図６】袋から空気を吸引して窒素ガスと置換する際の構成を説明する図である。
【符号の説明】
【００２２】
１                        袋
１ａ                      パックシート
２                        通気可動バルブ
２ａ                      通気可動弁
３                        ロックナット
４                        ワンタッチ差込みプラグ
４ａ〜４ｃ                通気孔
５                        ホース
１０                      品物
１１                      窒素ガス発生装置
【手続補正２】
【補正対象書類名】図面
【補正対象項目名】全図
【補正方法】追加
【補正の内容】
【図１】
2006248612.tif 000006
【図２】
2006248612.tif 000007
【図３】
2006248612.tif 000008
【図４】
2006248612.tif 000009
【図５】
2006248612.tif 000010
【図６】
2006248612.tif 000011
【手続補正３】
【補正対象書類名】特許請求の範囲
【補正対象項目名】全文
【補正方法】変更
【補正の内容】
【特許請求の範囲】
【請求項１】
材質はポリ塩ビ、エコポリ、紙、金属箔、布で１枚から数枚の同材や異質材からなる貼り合わせ複合材などの袋で、空気と窒素ガスが入れ替え可能とした袋（パック）である。
【請求項２】
袋に大気中で保存しようとする物体を入れ、空気の入ったまま密封してから袋内の空気を抜いて減圧状態にした後、保存したい物にあった濃度の窒素ガスを入れて空気と置換させる。
【請求項３】
空気とガス通気用の置換弁が、袋の取り扱いと支障のないところに、１個から複数個を取り付けた袋をいう。
【請求項４】
保管したい品物を入れた袋の空気を抜き、窒素ガスを置換するときに使用するワンタッチ差込みプラグのガス通気孔形状を、一山から複数の山型か櫛型、又は可動弁を押える先端の上部に１個又は複数個の通気孔、或いは可動弁を押さえる先端の上部に１個から複数個の楕円孔又は多角形の通気孔、とする。
【請求項５】
通気可動弁を逆止弁タイプにして、ワンタッチ差込みプラグで押し込む方式にした構造である。
【請求項６】
請求項５に記載した通気可動弁と、先端が凹凸のないワンタッチ差込みプラグとの組み合わせ。
【請求項７】
請求項５に記載した逆止弁の可動角度が±４５度の範囲である。